(57)【要約】【課題】画像入力装置において記憶装置の電源管理を行って、画像入力装置において記憶装置を効率的に利用可能とする。【解決手段】画像入力装置であって、画像データを記憶するための記憶装置に対する画像データの書き込み及び読み出しを行う画像処理手段と、記憶装置及び画像処理手段への電源供給を行う電源供給手段と、電源供給手段から記憶装置への電源供給の状態を切り替えるための切替手段と、切替手段を制御する制御手段とを備え、制御手段は、記憶装置に対する書き込みまたは読み出しが行われている間は、記憶装置への電源供給が行われるように切替手段を制御し、記憶装置に対する書き込みまたは読み出しが行われない間は、記憶装置への電源供給が停止されるように切替手段を制御することを特徴とする。【選択図】図１
2008205735.tif 000002
【特許請求の範囲】
【請求項１】
画像データを記憶するための記憶装置に対する画像データの書き込み及び読み出しを行う画像処理手段と、
前記記憶装置及び前記画像処理手段への電源供給を行う電源供給手段と、
前記電源供給手段から前記記憶装置への前記電源供給の状態を切り替えるための切替手段と、
前記切替手段を制御する制御手段と
を備え、
前記制御手段は、
前記記憶装置に対する書き込みまたは読み出しが行われている間は、前記記憶装置への電源供給が行われるように前記切替手段を制御し、
前記記憶装置に対する書き込みまたは読み出しが行われない間は、前記記憶装置への電源供給が停止されるように前記切替手段を制御する
ことを特徴とする画像入力装置。
【請求項２】
前記記憶装置は、前記画像入力装置に装着された半導体メモリであることを特徴とする請求項１に記載の画像入力装置。
【請求項３】
前記記憶装置は、前記画像入力装置とＵＳＢ接続された外部記憶装置であることを特徴とする請求項１に記載の画像入力装置。
【請求項４】
前記記憶装置に対する画像データの書き込み又は読み出しの指示を受け付けるための操作手段を更に備え、
前記操作手段を介して前記指示を受け付けた際に、前記電源供給の停止により前記記憶装置が動作停止状態にある場合、前記制御手段は、前記切替手段を前記電源供給が行われるように制御して、前記記憶装置を起動させることを特徴とする請求項１乃至３のいずれか１項に記載の画像入力装置。
【請求項５】
前記記憶装置が起動された場合に、前記制御手段は前記記憶装置を識別するための識別情報を該記憶装置より取得し、前回の起動時において取得した識別情報と異なる情報が取得された場合に、通知手段によりユーザーへの通知を行うことを特徴とする請求項４に記載の画像入力装置。
【請求項６】
コンピュータを、請求項１乃至５のいずれか１項に記載の画像入力装置として機能させるためのコンピュータプログラム。
【発明の詳細な説明】
【技術分野】
【０００１】
本発明は画像入力装置及びコンピュータプログラムに関する。
【背景技術】
【０００２】
従来、デジタルカメラやデジタルビデオカメラなどの画像入力装置において、画像データの記憶装置として、コンパクトフラッシュ（登録商標）、あるいは、SDメモリカードなどの半導体メモリが主流である。
【０００３】
図１０は、従来の画像入力装置の構成を示す。画像入力装置１０は、制御部２、画像入力及び画像処理部３、光学部材４、記憶装置５、操作部６及び電源制御部１１を備える。
【０００４】
電源制御部１１は、制御部２からの制御信号に従って、記憶装置５の電源を含めて画像入力装置１内の電源制御を行う。制御部２は、画像入力装置１０の状態に応じて、電源制御部１１及び画像処理部３を制御する。制御部２はまた、記憶装置５を識別するための情報を取得するために記憶装置５と通信を行う。
【０００５】
画像処理部３は、操作部６で受け付けた撮影動作の開始指示に基づき光学部材４を介して入力された画像情報を処理し、画像データを生成し、生成された画像データを記憶装置５に送信する。画像処理部３はまた、画像データを表示するための表示部を含むことができる。当該表示部は、液晶ディスプレイや有機ＥＬディスプレイで構成されてもよい。画像処理部３は、操作部６で受け付けた画像データの再生動作の開始指示に基づき、記憶装置５から画像データを読み出し、表示部に表示する。
【０００６】
記憶装置５は、画像処理部３から受信した画像データを内部に記憶する。記憶装置５はまた、コンパクトフラッシュ（登録商標）、あるいは、SDメモリカードなどの半導体メモリとして実現され、専用スロットに装着されて画像入力装置１００に一体化される。
【０００７】
電源制御部１１の構成は、図１１に示す通りである。電源制御部１１は、バッテリー３０、ＤＣＤＣコンバータ１１を備える。バッテリー３０は、ＤＣＤＣコンバータ１１と接続される。ＤＣＤＣコンバータ１１は、バッテリー３０から供給される電源を、制御部２から供給される制御信号１２に従い電圧変換して、画像入力装置１０の各部の電源１６を生成する。ＤＣＤＣコンバータ１１からは、記憶装置５への電源１３も供給される。
【０００８】
次に、図１２を参照して、画像入力装置１０の電源制御部１１が記憶装置５に給電するシーケンスを説明する。図１２において、１２０１は、記憶装置５に対する動作を示している。１２０２は、ＤＣＤＣコンバータ１１から記憶装置５に対して給電を行うための制御信号１２の波形を示す。１２０２において、ＬＯＷの状態が、ＤＣＤＣコンバータ１１からの給電停止状態に相当し、ＨＩＧＨの状態が、ＤＣＤＣコンバータ１１からの給電状態に相当する。１２０３は、制御信号１２に応じて給電され動作する記憶装置５の動作状態を示す。従って、制御信号１２がＬＯＷの状態に対応した１２０３のＬＯＷの状態は、記憶装置５の動作が停止しており、制御信号１２がＨＩＧＨ状態となった場合に、記憶装置５が起動され、動作状態となる。また、制御信号１２がＨＩＧＨからＬＯＷ状態に移行すると、それに対応して記憶装置５も動作を停止する。
【０００９】
図１２において、横軸は時間を表す。時刻ｔ１１において、操作部６に含まれる電源ボタンが操作され画像入力装置１０の主電源が投入される。主電源が投入される同時に、制御信号１２がＨＩＧＨ状態となり、これに対応して記憶装置５の電源が投入され、記憶装置５が動作状態となる。そして、画像処理部３と記憶装置５との間で情報の授受を行うことにより、記憶装置５の情報の取得を行い、さらに、記憶済み情報の確認が行われる。
【００１０】
その後、時刻ｔ１２において操作部６に含まれるシャッタースイッチが操作されると、該操作に応じて生成された画像データが、記憶装置５に格納される。また、時刻ｔ１３では、操作部６に含まれる再生ボタンが操作されると、該操作に応じて記憶装置５に格納されている画像データの読み出しが行われる。
【００１１】
さらに時刻ｔ１４において、電源ボタンが操作され画像入力装置１０の主電源が遮断されると、制御信号１２がＬＯＷ状態となって、これに対応して記憶装置５への電源が遮断され、動作停止状態となる。
【特許文献１】特開２００１−８４０６３号公報
【発明の開示】
【発明が解決しようとする課題】
【００１２】
以上の記憶装置への電源供給方法では、画像処理部からのアクセスを受け付けていない場合でも、記憶装置は常に電源供給状態となっており、バッテリー３０の電源を無駄に消費していることとなる。この状況で、画像入力装置における記録画像サイズの増大に応じて記憶装置の容量を増大させれば、記憶装置の動作状態を維持するために電源が消耗され、すぐに撮影不能になってしまうという問題が発生する。また、大きな記憶容量を安価に供給できるＨＤＤなどの装置を記憶装置として使用する場合は、該装置の電源消費量が大きいために電力供給不能になってしまうという問題もある。
【００１３】
そこで、本発明は、画像入力装置において記憶装置の電源管理を行って、画像入力装置において記憶装置を効率的に利用可能とすることを目的とする。
【課題を解決するための手段】
【００１４】
上記課題を解決するための本発明は、画像入力装置であって、
画像データを記憶するための記憶装置に対する画像データの書き込み及び読み出しを行う画像処理手段と、
前記記憶装置及び前記画像処理手段への電源供給を行う電源供給手段と、
前記電源供給手段から前記記憶装置への前記電源供給の状態を切り替えるための切替手段と、
前記切替手段を制御する制御手段と
を備え、
前記制御手段は、
前記記憶装置に対する書き込みまたは読み出しが行われている間は、前記記憶装置への電源供給が行われるように前記切替手段を制御し、
前記記憶装置に対する書き込みまたは読み出しが行われない間は、前記記憶装置への電源供給が停止されるように前記切替手段を制御する
ことを特徴とする。
【発明の効果】
【００１５】
本発明によれば、画像入力装置において記憶装置の電源管理を行って、画像入力装置において記憶装置を効率的に利用可能となる。
【発明を実施するための最良の形態】
【００１６】
以下、添付の図面を参照して発明の実施形態を詳細に説明する。
【００１７】
［第１の実施形態］
図１は、発明の実施形態に対応する画像入力装置の構成例を示す。図１において、画像入力装置１００は、電源制御部１、制御部２、画像処理部３、光学部材４、記憶装置５及び操作部６を備えている。
【００１８】
本実施形態に対応する画像入力装置は、例えば、デジタルスチルカメラ、デジタルビデオカメラ、カメラつき携帯電話、カメラつき携帯情報端末、ノートパソコンとして実現することができる。
【００１９】
電源制御部１は、制御部２からの制御信号に従って、記憶装置５の電源を含めて画像入力装置１内の電源制御を行う。制御部２は、画像入力装置１００の状態に応じて、電源制御部１、画像処理部３を制御する。制御部２はまた、記憶装置５を識別するための情報を取得するために記憶装置と通信を行う。
【００２０】
画像処理部３は、操作部６で受け付けた撮影動作の開始指示に基づき光学部材４を介して入力された画像情報を処理し、画像データを生成し、生成された画像データを記憶装置５に送信する。画像処理部３はまた、画像データや、通知メッセージを表示するための表示部を含むことができる。当該表示部は、液晶ディスプレイや有機ＥＬディスプレイで構成されてもよい。画像処理部３は、操作部６で受け付けた画像データの再生動作の開始指示に基づき、記憶装置５から画像データを読み出し、表示部に表示する。
【００２１】
記憶装置５は、画像処理部３から受信した画像データを内部に記憶する。記憶装置５はまた、コンパクトフラッシュ（登録商標）、あるいは、SDメモリカードなどの半導体メモリとして実現され、専用スロットに装着されて画像入力装置１００に一体化される。
【００２２】
電源制御部１の構成は、図２に示す通りである。電源制御部１は、バッテリー３０、ＤＣＤＣコンバータ１１、スイッチ１４を備える。バッテリー３０とＤＣＤＣコンバータ１１とは、互いに接続されて電源供給手段として機能する。ＤＣＤＣコンバータ１１は、バッテリー３０から供給される電源を、制御部２から供給される制御信号１２に従い電圧変換して、画像入力装置１００の各部の電源１６を生成する。ＤＣＤＣコンバータ１１はまた、スイッチ１４と接続される。スイッチ１４は、制御部２からの切替信号１５に応じてＯＮ／ＯＦＦして、記憶装置５への電源供給状態を切り替える切替手段として機能する。これにより、画像入力装置１００内の他の構成要素に対する電源供給とは独立に、記憶装置５への電源１３の供給を制御することができる。
【００２３】
次に、図３を参照して、画像入力装置１００の起動時に電源制御部１が記憶装置５に給電するシーケンスを説明する。
【００２４】
図３において、３０１は、記憶装置５に対する動作を示している。３０２は、制御部２からの切替信号１５の波形を示す。３０２において、ＬＯＷの状態が、スイッチ１４のＯＦＦ状態に相当し、ＤＣＤＣコンバータ１１からの記憶装置５への電源１３の供給が停止される。一方、ＨＩＧＨの状態が、スイッチ１４のＯＮ状態に相当し、ＤＣＤＣコンバータ１１からの記憶装置５への電源１３の供給が行われる。
【００２５】
３０３は、切替信号１５に応じて電源１３の供給が制御される記憶装置５の動作状態を示す。従って、切替信号１５がＬＯＷの状態に対応した３０３のＬＯＷの状態では、記憶装置５は動作停止状態にあり、切替信号１５がＨＩＧＨ状態となった場合に、記憶装置５が起動され動作状態となる。また、切替信号１５がＨＩＧＨからＬＯＷ状態に移行すると、それに対応して記憶装置５も動作を停止する。
【００２６】
図３において、横軸は時間を表す。時刻ｔ１において、操作部６に含まれる電源ボタンが操作され、画像入力装置１００の主電源が投入される。主電源が投入される同時に、切替信号１５がＨＩＧＨ状態となり、これに対応して記憶装置５の電源が投入され、記憶装置５が動作状態となる。そして、制御部２と記憶装置５との間で情報の授受を行うことにより、記憶装置５の情報の取得を行い、さらに、記憶済み情報の確認が行われる。ここで、記憶装置５の情報には、該記憶装置５を識別するための識別情報としてのシリアル番号等が含まれる。この動作を、以下では「初期動作」という。当該初期動作は、記憶装置５が起動された際に、画像入力装置１で該記憶装置５を利用するために実行が必要となる動作である。この初期動作が終了すると、制御部２は、切替信号１５をＬＯＷ状態に移行し、電源１３の記憶装置５への供給を停止する。
【００２７】
次に、図４を参照して、画像入力装置１００の撮影動作時に、電源制御部１が記憶装置５に給電するシーケンスを説明する。
【００２８】
図４において、４０１は、記憶装置５に対する動作を示している。４０２は、制御部２からの切替信号１５の波形を示す。４０２において、ＬＯＷの状態が、スイッチ１４のＯＦＦ状態に相当し、ＤＣＤＣコンバータ１１からの記憶装置５への電源１３の供給が停止される。一方、ＨＩＧＨの状態が、スイッチ１４のＯＮ状態に相当し、ＤＣＤＣコンバータ１１からの記憶装置５への電源１３の供給が行われる。
【００２９】
４０３は、切替信号１５に応じて電源１３の供給が制御される記憶装置５の動作状態を示す。従って、切替信号１５がＬＯＷの状態に対応した４０３のＬＯＷの状態では、記憶装置５は動作停止状態にあり、切替信号１５がＨＩＧＨ状態となった場合に、記憶装置５が起動され動作状態となる。また、切替信号１５がＨＩＧＨからＬＯＷ状態に移行すると、それに対応して記憶装置５も動作を停止する。
【００３０】
図４において、横軸は時間を表す。時刻ｔ２において、画像入力装置１００における撮影動作を開始するために、操作部６に含まれるシャッタースイッチの操作が行われる。この操作に応じて、切替信号１５がＨＩＧＨ状態となり、これに対応して記憶装置５の電源が投入され、記憶装置５が動作状態となる。その後、初期動作が行われるが、初期動作において得られた記憶装置５の情報が、前回起動時に確認した情報と異なることが判明した場合、制御部２は表示部を通知手段として利用してその旨をユーザーに通知しても良い。この場合、例えば、記憶装置５が別の記憶装置に交換されたことが考えられる。
【００３１】
その後、シャッタースイッチの操作に応じて生成された画像データが、記憶装置５に格納される。画像データの格納が終わると、制御部２は、切替信号１５をＬＯＷ状態に移行し、電源１３の記憶装置５への供給を停止する。但し、画像データの格納が終了した時点で、次の撮影動作が開始されている場合には、切替信号１５をＨＩＧＨの状態で維持し、新たに生成される画像データの格納を行う。
【００３２】
次に、図５を参照して、画像入力装置１００での画像データ再生時に、電源制御部１が記憶装置５に給電するシーケンスを説明する。
【００３３】
図５において、５０１は、記憶装置５に対する動作を示している。５０２は、制御部２からの切替信号１５の波形を示す。５０２において、ＬＯＷの状態が、スイッチ１４のＯＦＦ状態に相当し、ＤＣＤＣコンバータ１１からの記憶装置５への電源１３の供給が停止される。一方、ＨＩＧＨの状態が、スイッチ１４のＯＮ状態に相当し、ＤＣＤＣコンバータ１１からの記憶装置５への電源１３の供給が行われる。
【００３４】
５０３は、切替信号１５に応じて電源１３の供給が制御される記憶装置５の動作状態を示す。従って、切替信号１５がＬＯＷの状態に対応した５０３のＬＯＷの状態では、記憶装置５は動作停止状態にあり、切替信号１５がＨＩＧＨ状態となった場合に、記憶装置５が起動され動作状態となる。また、切替信号１５がＨＩＧＨからＬＯＷ状態に移行すると、それに対応して記憶装置５も動作を停止する。
【００３５】
図５において、横軸は時間を表す。時刻ｔ３において、記憶装置５に格納された画像データの再生動作を開始するために、操作部６に含まれる再生ボタンの操作が行われる。この操作に応じて、切替信号１５がＨＩＧＨ状態となり、これに対応して記憶装置５の電源が投入され、記憶装置５が動作状態となる。その後、初期動作が行われるが、初期動作において得られた記憶装置５の情報が、前回起動時に確認した情報と異なることが判明した場合、制御部２は表示部を通知手段として利用してその旨をユーザーに通知しても良い。この場合、例えば、記憶装置５が別の記憶装置に交換されたことが考えられる。
【００３６】
その後、上記ボタン操作に応じて記憶装置５から読み出された画像データが、画像処理部３に提供され、表示部での再生表示が行われる。画像データの再生表示が終わると、制御部２は、切替信号１５をＬＯＷ状態に移行し、電源１３の記憶装置５への供給を停止する。但し、画像データの再生が終了した時点で、次の画像データを再生するためのボタン操作が行われていた場合には、切替信号１５をＨＩＧＨの状態で維持し、当該画像データの再生が行われる。
【００３７】
このように、本実施形態によれば、記憶装置５へのアクセスが必要となった場合にのみ、電源制御部１から記憶装置５への電源供給を行うことにより、画像入力装置１００の電源を効率よく利用することができる。またこれにより、大容量で且つ電力消費量の多い記憶装置を画像入力装置１００に装着することも可能となる。
【００３８】
［第２の実施形態］
図６を参照して、本実施形態に対応する装置構成を説明する。本実施形態では、記録装置５は、画像入力装置１００の外部に配置されるハードディスクとして実現される。従って、本実施形態に対応する画像入力装置１００は、図６のようにして構成される。
【００３９】
図６において、デジタルカメラ２０は、ＵＳＢケーブル２１を介して、外部記憶装置であるハードディスク２２とＵＳＢ接続されている。デジタルカメラ２０は、図１における電源制御部１、制御部２、画像処理部３及び光学部材４を備える。ハードディスク２２は記憶装置５として機能する。
【００４０】
本実施形態では、デジタルカメラ２０はハードディスク２２に対してＵＳＢホストとして振る舞う構成になっている。また、ハードディスク２２は、ＵＳＢホストからＵＳＢ電源ライン（ＶＢＵＳ）を利用して供給される電源により動作をするバスパワーデバイスである。デジタルカメラから２０のハードディスク２２に電源供給を行うためのＶＢＵＳは、図２における電源１３に相当する。このＶＢＵＳは、デジタルカメラ２０内の制御部２からの切替信号によりＯＮ／ＯＦＦされ、ハードディスク２２への電源供給が制御される。以下、このような構成において、デジタルカメラ２０によるハードディスク２２への給電制御について説明する。
【００４１】
次に、図７を参照して、デジタルカメラ２０の起動時に、電源制御部１がハードディスク２２に給電するシーケンスを説明する。
【００４２】
図７において、７０１は、ハードディスク２２に対する動作を示している。７０２は、制御部２からの切替信号１５の波形を示す。７０２において、ＬＯＷの状態がスイッチ１４のＯＦＦ状態に相当し、ＶＢＵＳを用いたハードディスク２２への給電が停止される。一方、ＨＩＧＨの状態が、スイッチ１４のＯＮ状態に相当し、ＶＢＵＳを用いたハードディスク２２への給電が行われる。
【００４３】
７０３は、切替信号１５に応じてＶＢＵＳによる電源供給が制御されるハードディスク２２の動作状態を示す。従って、切替信号１５がＬＯＷの状態に対応した７０３のＬＯＷの状態では、ハードディスク２２は動作停止状態にあり、切替信号１５がＨＩＧＨ状態となった場合に、ハードディスク２２が起動され動作状態となる。また、切替信号１５がＨＩＧＨからＬＯＷ状態に移行すると、それに対応してハードディスク２２も動作を停止する。
【００４４】
図７において、横軸は時間を表す。時刻ｔ４において、操作部６に含まれる電源ボタンが操作され、デジタルカメラ２０の主電源が投入される。主電源が投入される同時に切替信号１５がＨＩＧＨ状態となり、ＶＢＵＳを介してハードディスク２２が電源投入され、ハードディスク２２が動作状態となる。その後、エネメレーションを行い、制御部２によりデバイス情報を確認した後、ハードディスクのパーティション情報、ＦＡＴやディレクトリエントリ情報を読み出し、記憶済み情報の確認を行う。デバイス情報には、ハードディスク２２の接続機器タイプや、シリアル番号などの、ハードディスク２２を識別するための識別情報が含まれる。この動作を、以下では「初期動作」という。当該初期動作は、ハードディスク２２が起動された際に、デジタルカメラ２０で該ハードディスク２２を利用するために実行が必要となる動作である。この初期動作が終了すると、制御部２は、切替信号１５をＬＯＷ状態に移行し、ＶＢＵＳによるハードディスク２２への供給を停止する。
【００４５】
次に、図８を参照してデジタルカメラ２０での撮影動作時に、電源制御部１がハードディスク２２に給電するシーケンスを説明する。
【００４６】
図８において、８０１は、ハードディスク２２に対する動作を示している。８０２は、制御部２からの切替信号１５の波形を示す。８０２において、ＬＯＷの状態がスイッチ１４のＯＦＦ状態に相当し、ＶＢＵＳを用いたハードディスク２２への給電が停止される。一方、ＨＩＧＨの状態が、スイッチ１４のＯＮ状態に相当し、ＶＢＵＳを用いたハードディスク２２への給電が行われる。
【００４７】
８０３は、切替信号１５に応じてＶＢＵＳによる電源供給が制御されるハードディスク２２の動作状態を示す。従って、切替信号１５がＬＯＷの状態に対応した８０３のＬＯＷの状態では、ハードディスク２２は動作停止状態にあり、切替信号１５がＨＩＧＨ状態となった場合に、ハードディスク２２が起動され動作状態となる。また、切替信号１５がＨＩＧＨからＬＯＷ状態に移行すると、それに対応してハードディスク２２も動作を停止する。
【００４８】
図８において、横軸は時間を表す。時刻ｔ５において、デジタルカメラ２０における撮影動作を開始するために、操作部６に含まれるシャッタースイッチの操作が行われる。この操作に応じて、切替信号１５がＨＩＧＨ状態となり、これに対応してハードディスク２２の電源がＶＢＵＳを介して投入され、ハードディスク２２が動作状態となる。その後、初期動作が行われるが、初期動作において確認したデバイス情報が前回の起動時に確認した情報と異なることが判明した場合、制御部２は表示部を通知手段として利用してその旨をユーザーに通知しても良い。この場合、例えば、ハードディスク２２が別の記憶装置に交換されたことが考えられる。
【００４９】
その後、シャッタースイッチの操作に応じて生成された画像データが、ハードディスク２２に格納される。画像データの格納が終わると、制御部２は、切替信号１５をＬＯＷ状態に移行し、ＶＢＵＳによるハードディスク２２への給電を停止する。但し、画像データの格納が終了した時点で、次の撮影動作が開始されている場合には、切替信号１５をＨＩＧＨの状態で維持し、新たに生成される画像データの格納を行う。
【００５０】
次に、図９を参照して、デジタルカメラ２０での画像データ再生時に、電源制御部１がハードディスク２２に給電するシーケンスを説明する。
【００５１】
図９において、９０１は、ハードディスク２２に対する動作を示している。９０２は、制御部２からの切替信号１５の波形を示す。９０２において、ＬＯＷの状態がスイッチ１４のＯＦＦ状態に相当し、ＶＢＵＳを用いたハードディスク２２への給電が停止される。一方、ＨＩＧＨの状態が、スイッチ１４のＯＮ状態に相当し、ＶＢＵＳを用いたハードディスク２２への給電が行われる。
【００５２】
９０３は、切替信号１５に応じてＶＢＵＳによる電源供給が制御されるハードディスク２２の動作状態を示す。従って、切替信号１５がＬＯＷの状態に対応した９０３のＬＯＷの状態では、ハードディスク２２は動作停止状態にあり、切替信号１５がＨＩＧＨ状態となった場合に、ハードディスク２２が起動され動作状態となる。また、切替信号１５がＨＩＧＨからＬＯＷ状態に移行すると、それに対応してハードディスク２２も動作を停止する。
【００５３】
図９において、横軸は時間を表す。時刻ｔ６において、ハードディスク２２に格納された画像データの再生動作を開始するために、操作部６に含まれる再生ボタンの操作が行われる。この操作に応じて、切替信号１５がＨＩＧＨ状態となり、これに対応してＶＢＵＳを介してハードディスク２２の電源が投入され、ハードディスク２２が動作状態となる。その後、初期動作が行われるが、初期動作において確認したデバイス情報が前回の起動時に確認した情報と異なることが判明した場合、制御部２は表示部を通知手段として利用してその旨をユーザーに通知しても良い。この場合、例えば、ハードディスク２２が別の記憶装置に交換されたことが考えられる。
【００５４】
その後、上記ボタン操作に応じてハードディスク２２から読み出された画像データが、画像処理部３に提供され、表示部での再生表示が行われる。画像データの再生が終わると、制御部２は、切替信号１５をＬＯＷ状態に移行し、ＶＢＵＳを介したハードディスク２２への給電を停止する。但し、画像データの再生が終了した時点で、次の画像データを再生するためのボタン操作が行われていた場合には、切替信号１５をＨＩＧＨの状態で維持し、当該画像データの再生が行われる。
【００５５】
上記のシーケンスに従い、ＶＢＵＳを介したハードディスク２２への給電制御を行うことで、ハードディスク２２を記憶装置５としてデジタルカメラ２０に装着し、画像入力装置１００を実現することができる。
【００５６】
このように外部の記憶装置を利用する場合であっても、該記憶装置へのアクセスが必要となった場合にのみ電源供給を行うように制御することで、画像入力装置の電源を効率よく利用することができる。またこれにより、ハードディスクのように大容量で且つ電力消費量の多い記憶装置を画像入力装置に装着することも可能となる。
【００５７】
また、撮影動作開始の操作、及び、画像の再生開始の操作により、記憶装置への給電を開始することで、デジタルカメラなどの画像入力装置の動作を容易に管理することができる。
【００５８】
［その他の実施形態］
本発明の目的は、前述した機能を実現するソフトウェアのプログラムコードを記録した記憶媒体を、システムに供給し、そのシステムがプログラムコードを読み出し実行することによっても達成される。この場合、記憶媒体から読み出されたプログラムコード自体が前述した実施形態の機能を実現し、そのプログラムコードを記憶した記憶媒体は本発明を構成する。また、そのプログラムコードの指示に基づき、コンピュータ上で稼働しているオペレーティングシステム（ＯＳ）などが実際の処理の一部または全部を行い、その処理によって前述した機能が実現される場合も含まれる。
【００５９】
さらに、以下の形態で実現しても構わない。すなわち、記憶媒体から読み出されたプログラムコードを、コンピュータに挿入された機能拡張カードやコンピュータに接続された機能拡張ユニットに備わるメモリに書込む。そして、そのプログラムコードの指示に基づき、その機能拡張カードや機能拡張ユニットに備わるＣＰＵなどが実際の処理の一部または全部を行って、前述した機能が実現される場合も含まれる。
【００６０】
本発明を上記記憶媒体に適用する場合、その記憶媒体には、先に説明したフローチャートに対応するプログラムコードが格納されることになる。
【図面の簡単な説明】
【００６１】
【図１】発明の第１の実施形態に対応する画像入力装置の構成例を示す図である。
【図２】発明の第１の実施形態に対応する電源制御部１の構成例を示す図である。
【図３】発明の第１の実施形態に対応する、画像入力装置１００の起動時のシーケンスの一例を示すタイミング図である。
【図４】発明の第１の実施形態に対応する、撮影動作時のシーケンスの一例を示すタイミング図である。
【図５】発明の第１の実施形態に対応する、画像再生時のシーケンスの一例を示すタイミング図である。
【図６】発明の第２の実施形態に対応する、画像入力装置１００の構成例を示す図である。
【図７】発明の第２の実施形態に対応する、画像入力装置１００の起動時のシーケンスの一例を示すタイミング図である。
【図８】発明の第２の実施形態に対応する、撮影動作時のシーケンスの一例を示すタイミング図である。
【図９】発明の第２の実施形態に対応する、画像再生時のシーケンスの一例を示すタイミング図である。
【図１０】従来の画像入力装置の構成を示す図である
【図１１】従来の電源制御部の構成を示す図である。
【図１２】従来のシーケンスを示すタイミング図である。
【符号の説明】
【００６２】
１  電源制御部
２  制御部
３  画像処理部
４  光学部材
５  記憶装置
６  操作部
１００  画像入力装置
【図１】
2008205735.tif 000003
【図２】
2008205735.tif 000004
【図３】
2008205735.tif 000005
【図４】
2008205735.tif 000006
【図５】
2008205735.tif 000007
【図６】
2008205735.tif 000008
【図７】
2008205735.tif 000009
【図８】
2008205735.tif 000010
【図９】
2008205735.tif 000011
【図１０】
2008205735.tif 000012
【図１１】
2008205735.tif 000013
【図１２】
2008205735.tif 000014